(57)【要約】【課題】一ヶ月を単位として服用管理することができ、投薬ミスの減少および患者の服薬コンプライアンスの向上を図ることが可能な薬剤等の収納容器を提供する。【解決手段】定期的に服用する薬剤等を収納する空間５を内部に有し、上面６に３１日分の日付７の１つが表示された計３１日分の日付表示小箱３と、前記日付表示小箱３と同じ寸法形状を有する４個の補完小箱４と、前記日付表示小箱３および補完小箱４を暦に従った配置で収納する外枠１３を有し、該外枠１３に前記暦の１週間に従った前記日付表示小箱３に対応する位置が分かるように曜日１４が表示された大箱２とを備えた構成とする。【選択図】図１
0003122591.tif 000002
【実用新案登録請求の範囲】
【請求項１】
定期的に服用する薬剤等を収納する空間を内部に有し、上面に３１日分の日付の１つが表示された計３１日分の日付表示小箱と、
前記日付表示小箱と同じ寸法形状を有する複数の補完小箱と、
前記日付表示小箱および補完小箱を暦に従った配置で収納し得る外枠を有し、該外枠に前記暦の１週間に従った前記日付表示小箱に対応する位置が分かるように曜日が表示された大箱と、
を備えたことを特徴とする薬剤等の収納容器。
【請求項２】
請求項１記載の大箱を上下三段に重ねられる構造で３個有しており、各大箱に朝、昼、夕の識別手段が付されていることを特徴とする請求項１に記載の薬剤等の収納容器。
【請求項３】
前記朝、昼、夕の識別手段として各大箱に互いに異なる色彩が付されていることを特徴とする請求項２に記載の薬剤等の収納容器。
【請求項４】
前記日付表示小箱が、それぞれの内部に、上下三段に重ねられる構造の３個の区分小箱から成り、各区分小箱に朝、昼、夕の識別手段が付されていることを特徴とする請求項１に記載の薬剤等の収納容器。
【請求項５】
前記朝、昼、夕の識別手段として各区分小箱に互いに異なる色彩が付されていることを特徴とする請求項４に記載の薬剤等の収納容器。
【請求項６】
更に、前記日付表示小箱および補完小箱のうちの４つを縦２列、横２列に配置して収納する外枠を有する中箱を備えた、
ことを特徴とする請求項１〜３のいずれか１つに記載の薬剤等の収納容器。
【請求項７】
前記日付表示小箱が、開閉式の上蓋を有し、その上面に３１日分の数字が表示されていることを特徴とする請求項１〜６のいずれか１つに記載の薬剤等の収納容器。
【請求項８】
前記日付表示小箱は、それぞれ上部外周部が内側に退く段差として形成された取り出しを容易にするための操作部を有することを特徴とする請求項１〜７のいずれか１つに記載の薬剤等の収納容器。
【請求項９】
前記日付表示小箱が、それぞれの少なくとも左右の側面に、前記日付表示小箱同士を分離可能に連結する連結手段を有することを特徴とする請求項１〜８のいずれか１つに記載の薬剤等の収納容器。
【請求項１０】
前記日付表示小箱が、それぞれの上下の側面および左右の側面に、前記日付表示小箱同士を分離可能に連結するための連結手段を有することを特徴とする請求項１〜８のいずれか１つに記載の薬剤等の収納容器。
【請求項１１】
前記補完小箱が前記日付表示小箱と同じ構造を有することを特徴とする請求項１〜１０のいずれか１つに記載の薬剤等の収納容器。
【請求項１２】
前記大箱と、前記大箱の内部に収納される小箱とを分離可能に連結するための連結手段を有することを特徴とする請求項１〜１１のいずれか１つに記載の薬剤等の収納容器。
【請求項１３】
前記大箱の外枠に所有者に関する情報を表示する表示部を有することを特徴とする請求項１〜１２のいずれか１つに記載の薬剤等の収納容器。
【請求項１４】
前記大箱の外枠に現在の日時を表示する電子時計部を設けると共に、前記日付表示小箱の各々に照明表示器を設け、更に前記日付表示小箱のうちの現在の日時に該当する場所に置かれている前記日付表示小箱の表示器を作動させる電子的な制御装置を設けたことを特徴とする請求項１〜１３のいずれか１つに記載の薬剤等の収納容器。
【請求項１５】
前記日付表示小箱が、それぞれの少なくとも左右の側面に、前記日付表示小箱同士を分離可能に連結するための連結手段を有し、
前記中箱が前記日付表示小箱の連結手段と結合し得る同じ構造の連結手段を有することを特徴とする請求項６に記載の薬剤等の収納容器。
【請求項１６】
前記中箱の外枠に所有者に関する情報を表示する表示部を有することを特徴とする請求項１５に記載の薬剤等の収納容器。
【請求項１７】
前記中箱の外枠に、服薬時間をセット可能な電子時計部を設けると共に、前記電子時計部からの指示により作動して服薬時間の到来を所持者に報せる音響報知器を設けたことを特徴とする請求項１５または１６に記載の薬剤等の収納容器。
【請求項１８】
前記薬剤等が、医薬または健康食品であることを特徴とする請求項１〜１７のいずれか１つに記載の薬剤等の収納容器。
【請求項１９】
前記薬剤等が経口避妊薬であることを特徴とする請求項１８に記載の薬剤等の収納容器。
【請求項２０】
前記大箱が、開閉式の上蓋を有することを特徴とする請求項１〜１９のいずれか１つに記載の薬剤等の収納容器。
【請求項２１】
前記中箱が、開閉式の上蓋を有することを特徴とする請求項６、１５、１６または１７に記載の薬剤等の収納容器。
【請求項２２】
前記大箱が、外枠の４つの側面のうちの少なくとも１つの側面に、大箱同士を分離可能に連結するための連結手段を有することを特徴とする請求項１〜２１のいずれか１つに記載の薬剤等の収納容器。
【請求項２３】
前記大箱が、内部に収納される小箱を支持するために当該大箱の内部を区画する板状の区画部材を更に有することを特徴とする請求項１〜２２のいずれか１つに記載の薬剤等の収納容器。
【請求項２４】
前記区画部材が、前記大箱の内部に収納される小箱を分離可能に連結するための連結手段を有することを特徴とする請求項２３に記載の薬剤等の収納容器。
【請求項２５】
前記大箱は、複数月分に対応する外枠が分離不能に結合されて成ることを特徴とする請求項１〜２１、２３、２４のいずれか１つに記載の薬剤等の収納容器。
【請求項２６】
前記大箱の底部と、当該大箱の内部に収納される小箱の底部とを分離可能に連結するための連結手段を有することを特徴とする請求項１〜２５のいずれか１つに記載の薬剤等の収納容器。
【請求項２７】
前記日付表示小箱は、電気的信号により日付を表示するための日付表示部を有し、
前記薬剤等の収納容器は、
現在の年および月を認知し得るタイマー手段と、
前記タイマー手段により認知された現在の年および月に応じて、前記大箱の内部に収納されている前記日付表示小箱の日付表示部に表示される日付をセットする日付セット手段と、を更に有することを特徴とする請求項１〜２６のいずれか１つに記載の薬剤等の収納容器。
【請求項２８】
前記大箱の外枠は、４つの側面のうちの一部の側面を欠く構造であることを特徴とする請求項１２、２３、２４または２６に記載の薬剤等の収納容器。
【考案の詳細な説明】
【技術分野】
【０００１】
本考案は、病院、介護施設、在宅における患者の服薬および投薬ミスの発生の可能性を低下させ、かつ患者の服薬コンプライアンスを向上させるのに好適な薬剤等の収納容器に関するものである。なお、本明細書において、薬剤等とは、医薬および健康食品の双方を含む概念である。
【背景技術】
【０００２】
従来、病院や介護施設等においては、患者に対する毎日毎回の投薬管理を、主に日時、名前や投薬時間等を記入することにより行っており、また在宅においては、患者自らもしくは介護する家人等が、やはり同様の管理を自ら工夫して行っている。
【０００３】
例えば、飲み忘れ等を防止する薬剤等の収納容器として、従来、曜日毎に分割形成された引き出しを有する薬箱や、薬収納部を各曜日毎に抜き差し式に設けたピルケースや、１日分の薬を朝昼夕等に分割収納する携帯用のピルケース等が提案されている。
【０００４】
また、縦軸に曜日を、横軸に服用時期（朝、昼、夕等）を配した格子状の区画に薬を収容する週間カレンダー状の薬の保管用具を用いた管理も提案されている（特許文献１、２参照）。更には、１日分の薬剤等を納めた分包に服用すべき期日を表示し、該分包を服用期日に従って収納容器内に順に収容する構造とした薬剤等の収納容器も提案されている（特許文献３参照）。
【０００５】
しかしながら、老人患者が増加する現状において、その服薬すべき薬の種類、量、時間等が複雑多岐に渡っており、一週間を単位とする管理では管理期間が短いことが多く、看護または介護者側による投薬ミスや、患者自らの服薬コンプライアンスの低下を招く一因となる。また、上記した携帯用ピルケースは簡便ではあるが、病院、介護施設、在宅患者等の複雑な投薬管理には適さない。
【特許文献１】実開昭６１−３１４４３号公報
【特許文献２】実開昭６１−３１４４７号公報
【特許文献３】特開平１０−５３１２号公報
【考案の開示】
【考案が解決しようとする課題】
【０００６】
本考案は上記従来技術の有する問題点に鑑みてなされたものであり、本考案の目的は、一ヶ月を単位として服用管理することができ、投薬ミスの減少および患者の服薬コンプライアンスの向上を図ることが可能な薬剤等の収納容器を提供することにある。
【課題を解決するための手段】
【０００７】
本考案の上記目的は、下記の手段によって達成される。
【０００８】
（１）定期的に服用する薬剤等を収納する空間を内部に有し、上面に３１日分の日付の１つが表示された計３１日分の日付表示小箱と、前記日付表示小箱と同じ寸法形状を有する複数の補完小箱と、前記日付表示小箱および補完小箱を暦に従った配置で収納し得る外枠を有し、該外枠に前記暦の１週間に従った前記日付表示小箱に対応する位置が分かるように曜日が表示された大箱と、を備えたことを特徴とする薬剤等の収納容器。
【０００９】
（２）  上記（１）記載の大箱を上下三段に重ねられる構造で３個有しており、各大箱に朝、昼、夕の識別手段が付されていることを特徴とする請求項１に記載の薬剤等の収納容器。
【００１０】
（３）前記朝、昼、夕の識別手段として各大箱に互いに異なる色彩が付されていることを特徴とする上記（２）に記載の薬剤等の収納容器。
【００１１】
（４）前記日付表示小箱が、それぞれの内部に、上下三段に重ねられる構造の３個の区分小箱から成り、各区分小箱に朝、昼、夕の識別手段が付されていることを特徴とする上記（１）に記載の薬剤等の収納容器。
【００１２】
（５）前記朝、昼、夕の識別手段として各区分小箱に互いに異なる色彩が付されていることを特徴とする上記（４）に記載の薬剤等の収納容器。
【００１３】
（６）更に、前記日付表示小箱および補完小箱のうちの４つを縦２列、横２列に配置して収納する外枠を有する中箱を備えた、ことを特徴とする上記（１）〜（３）のいずれか１つに記載の薬剤等の収納容器。
【００１４】
（７）前記日付表示小箱が、開閉式の上蓋を有し、その上面に３１日分の数字が表示されていることを特徴とする上記（１）〜（６）のいずれか１つに記載の薬剤等の収納容器。
【００１５】
（８）前記日付表示小箱は、それぞれ上部外周部が内側に退く段差として形成された取り出しを容易にするための操作部を有することを特徴とする上記（１）〜（７）のいずれか１つに記載の薬剤等の収納容器。
【００１６】
（９）前記日付表示小箱が、それぞれの少なくとも左右の側面に、前記日付表示小箱同士を分離可能に連結する連結手段を有することを特徴とする上記（１）〜（８）のいずれか１つに記載の薬剤等の収納容器。
【００１７】
（１０）前記日付表示小箱が、それぞれの上下の側面および左右の側面に、前記日付表示小箱同士を分離可能に連結するための連結手段を有することを特徴とする上記（１）〜（８）のいずれか１つに記載の薬剤等の収納容器。
【００１８】
（１１）前記補完小箱が前記日付表示小箱と同じ構造を有することを特徴とする上記（１）〜（１０）のいずれか１つに記載の薬剤等の収納容器。
【００１９】
（１２）前記大箱と、前記大箱の内部に収納される小箱とを分離可能に連結するための連結手段を有することを特徴とする上記（１）〜（１１）のいずれか１つに記載の薬剤等の収納容器。
【００２０】
（１３）前記大箱の外枠に所有者に関する情報を表示する表示部を有することを特徴とする上記（１）〜（１２）のいずれか１つに記載の薬剤等の収納容器。
【００２１】
（１４）前記大箱の外枠に現在の日時を表示する電子時計部を設けると共に、前記日付表示小箱の各々に照明表示器を設け、更に前記日付表示小箱のうちの現在の日時に該当する場所に置かれている前記日付表示小箱の表示器を作動させる電子的な制御装置を設けたことを特徴とする上記（１）〜（１３）のいずれか１つに記載の薬剤等の収納容器。
【００２２】
（１５）前記日付表示小箱が、それぞれの少なくとも左右の側面に、前記日付表示小箱同士を分離可能に連結するための連結手段を有し、
前記中箱が前記日付表示小箱の連結手段と結合し得る同じ構造の連結手段を有することを特徴とする上記（６）に記載の薬剤等の収納容器。
【００２３】
（１６）前記中箱の外枠に所有者に関する情報を表示する表示部を有することを特徴とする上記（１５）に記載の薬剤等の収納容器。
【００２４】
（１７）前記中箱の外枠に、服薬時間をセット可能な電子時計部を設けると共に、前記電子時計部からの指示により作動して服薬時間の到来を所持者に報せる音響報知器を設けたことを特徴とする上記（１５）または（１６）に記載の薬剤等の収納容器。
【００２５】
（１８）前記薬剤等が、医薬または健康食品であることを特徴とする上記（１）〜（１７）のいずれか１つに記載の薬剤等の収納容器。
【００２６】
（１９）前記薬剤等が経口避妊薬であることを特徴とする上記（１８）に記載の薬剤等の収納容器。
【００２７】
（２０）前記大箱が、開閉式の上蓋を有することを特徴とする上記（１）〜（１９）のいずれか１つに記載の薬剤等の収納容器。
【００２８】
（２１）前記中箱が、開閉式の上蓋を有することを特徴とする上記（６）、（１５）、（１６）または（１７）に記載の薬剤等の収納容器。
【００２９】
（２２）前記大箱が、外枠の４つの側面のうちの少なくとも１つの側面に、大箱同士を分離可能に連結するための連結手段を有することを特徴とする上記（１）〜（２１）のいずれか１つに記載の薬剤等の収納容器。
【００３０】
（２３）前記大箱が、内部に収納される小箱を支持するために当該大箱の内部を区画する板状の区画部材を更に有することを特徴とする上記（１）〜（２２）のいずれか１つに記載の薬剤等の収納容器。
【００３１】
（２４）前記区画部材が、前記大箱の内部に収納される小箱を分離可能に連結するための連結手段を有することを特徴とする上記（２３）に記載の薬剤等の収納容器。
【００３２】
（２５）前記大箱は、複数月分に対応する外枠が分離不能に結合されて成ることを特徴とする上記（１）〜（２１）、（２３）、（２４）のいずれか１つに記載の薬剤等の収納容器。
【００３３】
（２６）前記大箱の底部と、当該大箱の内部に収納される小箱の底部とを分離可能に連結するための連結手段を有することを特徴とする（１）〜（２５）のいずれか１つに記載の薬剤等の収納容器。
【００３４】
（２７）前記日付表示小箱は、電気的信号により日付を表示するための日付表示部を有し、前記薬剤等の収納容器は、現在の年および月を認知し得るタイマー手段と、前記タイマー手段により認知された現在の年および月に応じて、前記大箱の内部に収納されている前記日付表示小箱の日付表示部に表示される日付をセットする日付セット手段と、を更に有することを特徴とする上記（１）〜（２６）のいずれか１つに記載の薬剤等の収納容器。
【００３５】
（２８）前記大箱の外枠は、４つの側面のうちの一部の側面を欠く構造であることを特徴とする上記（１２）、（２３）、（２４）または（２６）に記載の薬剤等の収納容器。
【考案の効果】
【００３６】
本考案の薬剤等の収納容器によれば、日付表示小箱をカレンダー通りに大箱の外枠内に配列し、その日付表示小箱の内側に薬を入れることにより、該当患者に対する薬の種類分けがなされる。また服用する薬剤等を、曜日のみならず一ヶ月分の日付により整理された日付表示小箱に収納し、管理することができる。従って、患者に投薬しまたは患者が服薬すべき薬の整理や管理を有機的、合理的に行うことができ、以て投薬ミスの減少および患者の服薬コンプライアンスを向上させることができる。
【００３７】
日付表示小箱および補完小箱は、大箱の外枠内に暦に従って５週分配置されるが、これらの日付表示小箱および補完小箱は大箱の外枠内で自由に移動することができ、曜日が月によって替わるたびに、その配置換えができる。従って、月が替わっても服用する薬剤等を管理することができる。
【００３８】
１日に、例えば朝、昼、夕等に服薬する必要がある場合は、本考案品の大箱を３ヶ用意し、または日付表示小箱を内部で３つに分け、それぞれの外枠色を異ならせる等の手法を用いる。さらに日付表示小箱の側面が左右または四方で互いに結合可能なように作成することにより、病院、介護施設等においては１日分のセットを有機的に作成することが可能となり、また外出可能な患者においては携帯も可能である。
【００３９】
このように本考案の薬剤等の収納容器によれば、患者一人一人がその日、その時間に服薬すべき薬の種別が容易に視認でき、また合理的、有機的に薬を種別することが可能となり、以て薬の患者への誤投薬を減少させ、かつ患者の服薬コンプライアンスを向上させることが可能となる。
【考案を実施するための最良の形態】
【００４０】
以下、本考案の実施の形態を、図面を参照して詳細に説明する。
【００４１】
＜第１の実施形態＞
図１に、第１の実施形態に係る薬剤等の収納容器を示す。
【００４２】
この収納容器１は、上方が開放された長方形の大箱２と、この大箱２内に収納される３１個の長方形の日付表示小箱３および複数（ここでは４個）の補完小箱４とから構成されている。
【００４３】
日付表示小箱３は、定期的に服用する薬剤等を収納する空間５（図３参照）を内部に有し、上面６（図２参照）に３１日分の日付７として数字の１つが表示された計３１日分の長方形の小箱から成る。
【００４４】
具体的には、図２及び図３に示すように、日付表示小箱３は、開閉式の上蓋８を有し、その上面６に３１日分の「１」から「３１」までのアラビア数字が表示されていると共に、上部外周部が内側に退く段差部１０として形成された取り出しを容易にするための操作部９が設けられている。さらに取り出しを容易にするため、図７に示すように、上記の段差部１０を深く形成し、その段差外周面１１に、取手として機能する凸条部１２を形成した構造の操作部９とすることもできる。なお、日付表示小箱３の内部には、薬を入れるのに足りる十分な空間５が確保される。
【００４５】
補完小箱４は日付表示小箱３と同じ寸法形状を有する小箱であり、カレンダー上ブランクとなる部分に使用されるもので、日付７を持たない点で日付表示小箱３と異なる。ここでは補完小箱４は日付表示小箱３と同じ開閉式の蓋を有する中空の小箱として構成されているが、蓋のない中空小箱または内実の四面体から構成しても良い。
【００４６】
大箱２は、上記した３１個の日付表示小箱３および４個の補完小箱４から成る計３５個の小箱を、暦に従い縦７列、横５列に配置して収納する上方が開放された長方形の外枠１３を有し、この外枠１３の外枠１３の横枠または縦枠のうち、横枠の日付表示小箱３に対応する位置に、暦の１週間に従った日曜から土曜までを表す曜日１４が表示されている。なお、この実施形態の場合、外枠１３の上方が開放されているが、蓋を設けて、蓋付の大箱２とすることもできる。これにより、移動時に、小箱、および小箱中の薬剤等が落下するのを防止することができる。
【００４７】
また大箱２の外枠１３の任意の箇所には、患者氏名を記入可能な部位として、所有者に関する情報を表示する表示部１５が設けられている。所有者に関する情報としては、所有者（患者）の氏名、部屋番号、年および月、カルテ番号等が挙げられる。所有者に関する情報は、表示部１５に、ユーザにより記入されてもよいし、あるいは電気的に表示されてもよい。
【００４８】
上記構成の薬剤等の収納容器１によれば、日付表示小箱３をカレンダー通りに大箱２の外枠１３内に配列し、その日付表示小箱３の内側に薬を入れることにより、該当患者に対する薬の種類分けがなされる。従って、服用する薬剤等を、曜日１４のみならず一ヶ月分の日付により整理された日付表示小箱３に収納し、管理することができる。日付表示小箱３および補完小箱４は、大箱２の外枠１３内に暦に従って５週分配置されるが、これらの日付表示小箱３および補完小箱４は大箱２の外枠１３内で自由に移動することができ、曜日１４が月によって替わるたびに、その配置換えができる点に特色を有する。従って、毎月の曜日１４と日付により、服用する薬剤等を管理することができる。
【００４９】
＜第２の実施形態＞
図４は、第２の実施形態を示したもので、第１の大箱１６、第２の大箱１７、第３の大箱１８により、上記構成の大箱２を上下三段に重ねられる構造で３個有する形態とした薬剤等の収納容器１９の例を示す。第１、第２、第３の大箱１６、１７、１８には朝、昼、夕の識別手段として、ここでは相互に異なる色彩が付されており、第１の大箱１６には朝用として青色が、第２の大箱１７には昼用として黄色が、第３の大箱１８には夕用として赤色が着色されている。従って、１日に朝、昼、夕に服薬する必要がある場合、その管理が容易となる。
【００５０】
図５は、上下三段に重ねられる大箱２の構造を示したもので、大箱２の底面外周部に切欠きによる段差部２０を有し、これにより大箱２の底面に凸状部２１が形成されている。この凸状部２１は、大箱２の外枠１３における上部開口２２に丁度嵌り込む寸法形状となっており、図６のように重箱様に重ねることができる。従って、上下三段に重ねられる大箱２の位置ズレや傾倒を防止することができる。
【００５１】
図４及び図６では、大箱２を上下三段に重ねられる構造としたが、上記した日付表示小箱３が、それぞれの内部に、上下三段に重ねられる構造の３個の区分小箱から成り、各区分小箱に朝、昼、夕の識別手段が付されている構造とすることもできる。この場合も、朝、昼、夕の識別手段として各区分小箱に互いに異なる色彩を付することが好ましい。
【００５２】
＜第３の実施形態＞
図８に、第３の実施形態を示す。これは上記の日付表示小箱３のそれぞれの少なくとも左右の側面２３に、前記日付表示小箱同士を分離可能に連結する連結手段２４を有する構成としたものである。このように小箱側面四方が互いに結合可能なように作成すれば、病院、介護施設等においては１日分のセットを有機的に作成することが可能となり、また外出可能な患者においては携帯も可能であるからである。
【００５３】
この図８の例では、連結手段２４としてＴ字状の突起とＴ字状の溝とを設け、日付表示小箱同士を分離可能に連結している。この連結手段２４の存在により、例えば図９に示すように、朝、昼、夕の１日分の日付表示小箱３を分離可能に連結して、持ち運ぶことができる。また、３日分の日付表示小箱同士を分離可能に連結して、持ち運ぶこともできる。
【００５４】
また、上記の連結手段２４は、日付表示小箱３のそれぞれの左右の側面２３だけでなく、上下の側面２３にも設ける構成とすることもできる。これにより、例えば図１０に示すように、朝、昼、夕の１日分の３個の日付表示小箱３と１個の補完小箱４から成る４個の小箱を分離可能に連結して、持ち運ぶことができる。また、３日分の日付表示小箱同士と１個の補完小箱４から成る４個の小箱を分離可能に連結して、持ち運ぶこともできる。また、４日分の日付表示小箱同士を分離可能に連結して、持ち運ぶこともできる。
【００５５】
上記連結手段２４は、大箱２の外枠１３にも設けることができる。図１１では、大箱２の外枠１３の内面における日付表示小箱３の連結手段２４との対応位置に、日付表示小箱３の連結手段２４と結合し得る同じ構造の連結手段２４を設け、内側の日付表示小箱３と分離可能に連結して、日付表示小箱３の収納の安定性を図っている。
【００５６】
＜第４の実施形態＞
図１２に、第４の実施形態を示す。上記した第３の実施形態では小箱同士を連結したが、ここでは上方が開放された長方形の外枠２５を有する長方形の中箱２６を備え、上記の日付表示小箱３および補完小箱４のうちの４つを縦２列、横２列に配置して収納する例を示す。この中箱２６の外枠２５には、患者氏名を記入可能な部位として、所有者に関する情報を表示する表示部２７が設けられる。また中箱２６にも、日付表示小箱３の連結手段２４と結合し得る同じ構造の連結手段２４を有する。なお、この実施形態の場合、中箱２６の上方が開放されているが、蓋を設けて、蓋付の中箱とすることもできる。これにより、携帯時に、小箱、および小箱中の薬剤等が落下するのを防止することができる。
【００５７】
＜第５の実施形態＞
図１３に、第５の実施形態を示す。
【００５８】
図１３においては、大箱２の外枠１３に現在の日時を表示する電子時計部２８を設けられると共に、日付表示小箱３の各々に、通常のランプや液晶表示器などの照明表示器２９が設けられている。更に、これらの日付表示小箱３のうちの現在の日時に該当する場所に置かれている日付表示小箱３の表示器を作動させる電子的な制御装置（図示せず）が設けられ、日付表示小箱３の表示器と制御装置との間は、図示してない通常の電線や光ケーブルなどの有線で接続されている。
【００５９】
図１３には、現在の日時に該当する場所に置かれている日付表示小箱３として、「３」の数字の付いた日付表示小箱３の表示器が点灯または点滅している状態を示す。これにより患者は現在服薬すべき薬剤の分包が入った日付表示小箱３を知り、誤り無く取り出すことができる。なお分包が取り出された後は、自動的にまたは手動にて、上記点灯または点滅状態が解除され、本日の服用が済んだことが患者に知らされる。
【００６０】
＜第６の実施形態＞
図１４に、第６の実施形態を示す。これは中箱２６の外枠１３に、服薬時間をセット可能な電子時計部３０を設けると共に、この電子時計部３０からの指示により作動して服薬時間の到来を所持者に報せるブザーやスピーカ等の音響報知器３１を設けた例である。これによれば、携帯で持ち歩きながら、服薬すべき時刻を知ることができる。
【００６１】
以上、本考案の好ましい実施形態について述べたが、本考案の薬剤等の収納容器１は、医師の扱う薬剤や経口避妊薬であるピルのケースとして特に有効である。しかし本考案の薬剤等の収納容器１は、医薬のみならず定期的に服用する健康食品の収納容器１としても有効である。健康食品の場合には、例えば１０００錠入りの瓶等を利用者に渡し、これを利用者側にて適宜取り出して服用するという形態が一般的であるからである。
【００６２】
また、大箱は、好ましくは、外枠の４つの側面のうちの少なくとも１つの側面に、大箱同士を分離可能に連結するための連結手段を有する。このように構成すれば、例えば大部屋の複数の患者さん用に収納容器を結合したり、場合によっては個々の患者さん用の収納容器に分離したりすることができる。
【００６３】
また、大箱は、好ましくは、内部に収納される小箱（日付表示小箱および補完小箱）を支持するために当該大箱の内部を区画する板状の区画部材を更に有する。このように構成すれば、大箱内における小箱の支持機能が向上する。さらに、区画部材は、好ましくは、大箱の内部に収納される小箱を分離可能に連結するための連結手段を有する。このように構成すれば、例えば移動時に、小箱および小箱中の薬剤等が落下するのを防止できる。
【００６４】
また、大箱は、複数月分に対応する外枠が分離不能に結合されて構成されることも可能である。このように構成すれば、例えば大部屋の複数の患者さん用の堅固な収納容器を提供することができる。
【００６５】
また、好ましくは、大箱の底部と、当該大箱の内部に収納される小箱の底部とを分離可能に連結するための連結手段を有する。この場合、大箱の底部には例えばフックが形成され、小箱の底部にはフックが引っ掛かる例えば凹部が形成される。ただし、磁石が利用されてもよい。このように構成すれば、例えば収納容器を直立させて設置する場合に、小箱および小箱中の薬剤等が落下するのを防止できる。
【００６６】
また、好ましくは、日付表示小箱は、電気的信号により日付を表示するための例えば液晶ディスプレイ等の日付表示部を有し、薬剤等の収納容器は、現在の年および月を認知し得るタイマー手段と、タイマー手段により認知された現在の年および月に応じて、大箱の内部に収納されている日付表示小箱の日付表示部に表示される日付をセットする日付セット手段と、を更に有する。この場合、日付表示小箱の日付表示部と収納容器本体（例えば大箱）に設置される日付セット手段とは、日付表示小箱が大箱の内部に収納されることによりそれぞれに設けられた端子同士が電気的に接続される。このように構成すれば、月が替わったときに、人手により日付表示小箱の位置を移動させる必要がなくなり利便性が向上する。
【００６７】
また、大箱の外枠は、４つの側面のうちの一部の側面を欠く構造であってもよい。例えば、大箱と小箱とを分離可能に連結するための連結手段、あるいは大箱の内部を区画する板状の区画部材が設けられている場合には小箱の支持が十分に保たれるため、必ずしも外枠の左右上下の全ての側面を有している必要がないからである。また、このように構成すれば、小箱の大箱への収納作業が容易となる利点がある。
【図面の簡単な説明】
【００６８】
【図１】本考案の第１の実施形態に係る薬剤等の収納容器を示す斜視図である。
【図２】本考案の第１の実施形態に係る薬剤等の収納容器の日付表示小箱を示す斜視図である。
【図３】図２の日付表示小箱の上蓋を開いた状態を示す斜視図である。
【図４】本考案の第２の実施形態に係る薬剤等の収納容器の概念を示す図である。
【図５】本考案の第２の実施形態に係る薬剤等の収納容器の大箱の１つを示す斜視図である。
【図６】本考案の第２の実施形態に係る薬剤等の収納容器の三段重ねの大箱を示す斜視図である。
【図７】本考案の第１の実施形態に係る薬剤等の収納容器の日付表示小箱の操作部の構造を示す斜視図である。
【図８】本考案の第３の実施形態に係る薬剤等の収納容器の連結手段を示す部分断面図である。
【図９】本考案の第３の実施形態に係る日付表示小箱を左右に連結した状態を示す斜視図である。
【図１０】本考案の第３の実施形態に係る日付表示小箱を四方に連結した状態を示す斜視図である。
【図１１】本考案の薬剤等の収納容器における日付表示小箱と外枠との連結状態を示す斜視図である。
【図１２】本考案の第４の実施形態に係る中箱を示す斜視図である。
【図１３】本考案の第５の実施形態に係る薬剤等の収納容器を示す斜視図である。
【図１４】本考案の第６の実施形態に係る中箱を示す斜視図である。
【符号の説明】
【００６９】
１      収納容器、
２      大箱、
３      日付表示小箱、
４      補完小箱、
５      空間、
６      上面、
７      日付、
８      上蓋、
９      操作部、
１０      段差部、
１１      段差外周面、
１２      凸条部、
１３      外枠、
１４      曜日、
１５      氏名表示部、
１６      第１の大箱、
１７      第２の大箱、
１８      第３の大箱、
１９      収納容器、
２０      段差部、
２１      凸状部、
２２      上部開口、
２３      側面、
２４      連結手段、
２５      外枠、
２６      中箱、
２７      氏名表示部、
２８      電子時計部、
２９      照明表示器、
３０      電子時計部、
３１      音響報知器。
【図１】
0003122591.tif 000003
【図２】
0003122591.tif 000004
【図３】
0003122591.tif 000005
【図４】
0003122591.tif 000006
【図５】
0003122591.tif 000007
【図６】
0003122591.tif 000008
【図７】
0003122591.tif 000009
【図８】
0003122591.tif 000010
【図９】
0003122591.tif 000011
【図１０】
0003122591.tif 000012
【図１１】
0003122591.tif 000013
【図１２】
0003122591.tif 000014
【図１３】
0003122591.tif 000015
【図１４】
0003122591.tif 000016